(57)【要約】【課題】工事の簡素化を図るとともに、配線作業を容易に行うことができるキュービクル式高圧受電設備用据付基礎を提供する。【解決手段】コンクリート製の本体と、本体の内部に高圧ケーブル５および低圧ケーブルを挿通するための配管とを備え、本体上にキュービクル式高圧受電設備１１を備え付け可能とし、配管は本体の上面と側面とを貫通していることを特徴とするキュービクル式高圧受電設備用据付基礎９を提供する。このことにより、現場に持ち込むだけで容易に据付基礎９を設置でき、この上にキュービクル式高圧受電設備１１を設置することができる。また配管作業を行うことなく高圧ケーブル５および低圧ケーブルの配線を行うことができる。このため、現場において工事の簡素化を図るとともに、配線作業を容易に行うことができる。【選択図】  図２
2006028969.tif 000002
【特許請求の範囲】
【請求項１】
本体と、前記本体の内部にケーブルを挿通するための配管とを備え、前記本体上にキュービクル式高圧受電設備を備え付け可能としたことを特徴とするキュービクル式高圧受電設備用据付基礎。
【請求項２】
前記本体は、コンクリート製であることを特徴とする請求項１記載のキュービクル式高圧受電設備用据付基礎。
【請求項３】
前記配管は、硬質合成樹脂管であることを特徴とする請求項１または２記載のキュービクル式高圧受電設備用据付基礎。
【請求項４】
前記配管は、前記本体の上面と側面とを貫通していることを特徴とする請求項１〜３のいずれかに記載のキュービクル式高圧受電設備用据付基礎。
【請求項５】
前記配管を、前記ケーブルごとに設けたことを特徴とする請求項１〜４のいずれかに記載のキュービクル式高圧受電設備用据付基礎。
【請求項６】
前記配管と外部配管とを接続するための接続部を前記本体の側面に設けたことを特徴とする請求項１〜５のいずれかに記載のキュービクル式高圧受電設備用据付基礎。
【発明の詳細な説明】
【技術分野】
【０００１】
本発明は、施工が容易なキュービクル式高圧受電設備用据付基礎に関する。
【背景技術】
【０００２】
従来から仮設電気が必要な場所等において普及していたキュービクル式高圧受電設備（以下、「キュービクル」と略記する。）が、電気の自由化に伴いコンビニエンスストアや郊外小売店等に対しても普及が拡大しており、スペース上のニーズに合った小型のキュービクルも増えている。キュービクルの基礎は通常、所定の場所にコンクリートを打設することにより構築されており、施工時間が１週間程度の長期間を要していた。更に、現場における基礎工事では産業廃棄物が多く排出されるという問題もあった。このことを解決するために、容易に据付が可能な基礎や施工方法が開発されている（例えば、特許文献１，２参照。）。
【０００３】
特許文献１のキュービクル式高圧受電設備の据付架台は、方形枠状の架台本体と、この架台本体の外周に配置されるステージプレートと、このステージプレートの外周縁に設けられているフェンスとからなり、従来のようにコンクリートを打設せずに、組み立てるだけで構築できるため、施工を簡便に短時間ででき、また撤去も容易であるとしている。
【０００４】
特許文献２のキュービクル用基礎の設置工法においては、既製コンクリート製基礎主体を地業処理面に載置することのみによって基礎の構造主体が完成するため、従来のコンクリートを打設する基礎と比較して、その施工期間を短縮できるとしている。
【０００５】
【特許文献１】特開２００３−１９９２１６号公報
【特許文献２】特開平８−１３５１３号公報
【発明の開示】
【発明が解決しようとする課題】
【０００６】
しかしながら、特許文献１のキュービクル式高圧受電設備の据付架台は、現場において組み立てる作業が必要であり手間がかかる。また、配管については情報の開示がなく、従来のように配管は地中埋設配管となり、設置前に掘削・埋め戻し等の工程が加わり、天候にも左右されやすく作業が煩雑であると推察される。また、同様に、基礎を撤去する時に配管を除去する場合においても作業が煩雑となり熟練者による作業が必要となる。
【０００７】
また、特許文献２の設置工法に使用される基礎主体は、コンクリート製の枠であり、この枠内に土砂を導入して固めているため作業が煩雑となり、急ぎの場合にはムラも生じやすい。また、基礎主体の側壁には配線連結用の凹穴が設けられているが、配線が必要な時に凹穴の薄肉部を打ち抜いて貫通孔を形成してから配線を行わなければならず、作業が繁雑となる。更に、地面よりも下方に基礎を設置するため、撤去することは困難である。
【０００８】
そこで本発明の解決しようとする課題は、工事の簡素化を図るとともに、配線作業を容易に行うことができるキュービクル式高圧受電設備の据付基礎を提供することにある。
【課題を解決するための手段】
【０００９】
上記課題を解決するために、本発明のキュービクル式高圧受電設備用据付基礎（以下、「据付基礎」と略記する。）は、本体と、本体の内部にケーブルを挿通するための配管とを備え、本体上にキュービクル式高圧受電設備を備え付け可能としたことを特徴とする。
【００１０】
このことにより、予め配管が備えられた据付基礎を現場に持ち込むだけで容易にキュービクルを設置できるため、配管作業は配管どうしを接続するのみの工程とすることができる。このため、配線作業を簡素化することができ、容易にケーブルの配線を行うことができる。また、キュービクルを撤去させたい場合においても、配管の解体作業を行うことなく産業廃棄物を排出せずに容易に撤去することができる。このため、現場において工事の簡素化を図り、作業性を高めることができる。ここで、据付基礎は直方体状が望ましいが、キュービクルが据付可能であれば他の形状とすることもできる。また、配線とは、配管の中にケーブルを通し、キュービクルから外部へとケーブルが繋がることを意味している。
【００１１】
ここで、本体は、コンクリート製であることが望ましく、コンクリートを打設してブロック状の据付基礎とすることにより配管の周りがコンクリートで埋められるため、据付基礎の設置後において配管の損傷を防ぎ、配管の耐久性を向上させることができる。また、コンクリートにより配管の位置が決定されているため、配管が外れたりすることがない。更に、予め工場等において容易に製造することができ、コストも安くできる。
【００１２】
また、配管は、硬質合成樹脂管とすることが望ましく、難燃性波付硬質合成樹脂管とすることがより好ましい。このことにより、配管の耐久性を高めることができ、安全な据付基礎を提供することができる。
【００１３】
更に、配管は、本体の上面と側面とを貫通することにより、据付基礎の上面においてキュービクルへの配線を行うことができ、据付基礎の側面においては外部からの配線を接続することができる。このため、例えば据付基礎を電柱の付近に設けることで、電柱の配管と据付基礎の配管とが最も近い距離とすることができ、電柱からの配管やケーブルを据付基礎側へ容易に接続することができるため、配線の作業性を高めることができる。
【００１４】
ここで、配管を、ケーブルごとに設けることが望ましい。ここで、ケーブルとは、高圧電力や低圧電力を送電することができる電線を意味している。このことにより配管をケーブルごとに割り当てることができ、配管を高圧用と低圧用とに分けることができる。このため、作業者は容易に高圧用配管と低圧用配管とを識別することができる。更に、低圧用においては、複数のケーブルごとに配管を設けることにより、作業者は容易に各ケーブルの用途を識別することができる。従って、作業者が配線作業を行う際に、配管の用途を容易に識別することができ、配線の作業性を高めることができる。
【００１５】
また、配管と外部配管とを接続するための接続部を本体の側面に設けることにより、外部配管を据付基礎にねじ込むことにより、据付基礎内の配管と外部配管とを容易に接続することができ、配線作業を容易とすることができる。
【発明の効果】
【００１６】
本発明は、以下の効果を奏する。
【００１７】
（１）本体と、本体の内部にケーブルを挿通するための配管とを備え、本体上にキュービクル式高圧受電設備を備え付け可能としたことにより、予め配管が備えられた据付基礎を現場に持ち込むだけで容易にキュービクルを設置できるため、配管作業は配管どうしを接続するのみの工程とすることができる。このため、現場において工事の簡素化を図るとともに、配線作業を容易に行うことができ、作業性を高めることができる。
【００１８】
（２）本体は、コンクリート製とすることにより、配管の損傷を防ぎ、配管の耐久性を向上させることができる。また、予め工場等において容易に製造することができ、コストも安くできる。
【００１９】
（３）配管は、硬質合成樹脂管とすることにより、配管の耐久性を高めることができ、安全な据付基礎を提供することができる。
【００２０】
（４）配管は、本体の上面と側面とを貫通することにより、据付基礎の上面においてキュービクルへの配線を行うことができ、据付基礎の側面においては外部からの配線を接続することができる。このため、電柱からの配管やケーブルを据付基礎側へ容易に接続することができるため、配線の作業性を高めることができる。
【００２１】
（５）配管を、ケーブルごとに設けることにより、配管を高圧用と低圧用とに分けることができ、低圧用においては作業者は容易に各ケーブルの用途を識別することができる。従って、作業者が配線作業を行う際に、配管の用途を容易に識別することができ、配線の作業性を高めることができる。
【００２２】
（６）配管と外部配管とを接続するための接続部を本体の側面に設けることにより、外部配管を据付基礎にねじ込むことができるため、据付基礎内の配管と外部配管とを容易に接続することが可能となり、配線作業を容易とすることができる。
【発明を実施するための最良の形態】
【００２３】
以下、図面に基づいて、本発明の実施の形態であるキュービクル式高圧受電設備用据付基礎（以下、据付基礎）について説明する。
図１は、本発明の実施の形態であるキュービクルの据付基礎上にキュービクルを設置してあることを示す概観正面図であり、キュービクルは断面を示す図である。図２は、図１のＡの拡大図である。
【００２４】
図１に示すように、キュービクル１１は、高圧引込柱１近傍に設置されており、キュービクル１１は、据付基礎９に載置されている。ここで、キュービクルとは、高電圧（例えば６６００Ｖ）で受電して電圧を１００〜２００Ｖに変圧する機器およびそれに関連する機器を備えた筐体である。
【００２５】
高圧電線３からの高圧電流は、高圧引込柱１に設けられている高圧気中開閉器４ａを経て、積算電力計用電圧電流変流器４ｂの一次側へ送電されている。高圧気中開閉器４ａおよび積算電力計用電圧電流変流器４ｂは機器取付用腕金２により高圧引込柱１に固定されている。積算電力計用電圧電流変流器４ｂの二次側より出た高圧電流は、高圧ケーブル５により据付基礎９を経由してキュービクル１１へと送電される。
【００２６】
キュービクル１１へ送電された高圧電流は、キュービクル１１内で低圧電流に変圧され、低圧ケーブル６により各設備へと送電される。高圧ケーブル５には外部環境から保護するための配管７が、低圧ケーブル６にも同様に配管８が設けられており、各配管は各ケーブルを挿通させて保護している。配管７，８は難燃性波付硬質合成樹脂管である。この配管７，８が、地面１０に設置されたキュービクル１１の据付基礎９に接続されている。
【００２７】
次に図２に示すように、据付基礎９上にキュービクル架台部１１ａがアンカー１２により固定され、その上にキュービクル１１が固定されている。また配管７，８は、据付基礎９の側面において接続されている。配管７中を通る高圧ケーブル５は、据付基礎９に挿通してキュービクル１１内のケーブル支持金物１４により支持されており、高圧ケーブル５は端末処理されて高圧ケーブル端末処理材１３となる。高圧ケーブル端末処理材１３は、高圧過電流遮断機１５へと接続されて、トランス１６へと接続されている。トランス１６は、高圧受電した電圧を高電圧（６６００Ｖ）から低電圧（１００〜２００Ｖ）へと変換することができる。このように調節された低圧電流が、低圧ケーブル６により目的とする各設備へと送電されて利用することができる。
【００２８】
次に、図３，４により本発明の実施の形態である据付基礎９についての詳細を説明する。
図３は、本発明の実施の形態であるキュービクルの据付基礎を示す図であり、（ａ）は平面図、（ｂ）は正面図、（ｃ）は側面図である。図４は、図３（ａ）におけるＢの拡大側面図である。
【００２９】
図３に示すように、据付基礎９は配管２７，２８ａ，２８ｂ，２８ｃ，２８ｄを備えており、これらの配管は難燃性波付硬質合成樹脂管としている。また、本実施形態の据付基礎９はコンクリート製であって、大きさが１１８ｃｍ×８０ｃｍ×３５ｃｍのブロック状であり、小型のキュービクルを対象とした据付基礎である。予め工場等において製造されているため、配管２７，２８ａ，２８ｂ，２８ｃ，２８ｄの周りはコンクリートで埋められており、配管の位置が決定されている。配管２７は高圧ケーブル用であり、配管２８ａ，２８ｂ，２８ｃ，２８ｄは低圧ケーブル用である。据付基礎９の上面において、配管２７の上面開口部３７は、配管２８ａ，２８ｂ，２８ｃ，２８ｄの上面開口部３８ａ，３８ｂ，３８ｃ，３８ｄとは離れて位置している。上面開口部３８ａ，３８ｂ，３８ｃ，３８ｄは一直線上に隣接している。従って、作業者は上方から見て容易に高圧ケーブル用と低圧ケーブル用とを識別することができる。
【００３０】
また、据付基礎９の側面において、配管２７の側面開口部５７は、配管２８ａ，２８ｂ，２８ｃ，２８ｄの側面開口部５８ａ，５８ｂ，５８ｃ，５８ｄとは離れて位置している。ここで、各側面開口部は、水平方向に一直線上に位置している。従って、据付基礎の側面側において作業者は容易に高圧ケーブル用と低圧ケーブル用とを識別することができる。
【００３１】
また、このように上面開口部と側面開口部を構成し、各配管は、据付基礎９の各側面開口部から各上面開口部へ貫通しているため、作業者が容易に高圧ケーブル用と低圧ケーブル用とを確認することができるうえに、低圧ケーブル用においては作業者は容易に各ケーブルの用途を識別することができるため、作業者が配線作業を行う際に、配管の用途を容易に識別して作業を行うことができ、作業性が高まる。
【００３２】
各側面開口部から据付基礎９内部にかけて、配管７，８を接続するための接続部４７，４８ａ，４８ｂ，４８ｃ，４８ｄが設けられている。配管７は、配管２７と接続部４７内において接続している。また、配管８は配管８ａ，８ｂ，８ｃ，８ｄの４本に分岐し、それぞれが接続部４８ａ，４８ｂ，４８ｃ，４８ｄにおいて、配管２８ａ，２８ｂ，２８ｃ，２８ｄに接続している。
【００３３】
また、符号１１ａは、キュービクル架台部であり、開口部３７’および開口部３８’が設けられている。キュービクル１１の底面には、上面開口部３７から高圧ケーブル５を挿通させるための開口部３７’に対応する図示しない開口部が設けられている。このような構成とすることで、高圧ケーブル５を配管７および配管２７に挿通可能となりキュービクル１１へ接続することができる。
【００３４】
キュービクル１１により変圧された低圧電力は、目的とする各設備へ送電される。ここで、キュービクル１１の底面には、上面開口部３８ａ，３８ｂ，３８ｃ，３８ｄへ挿通させるために開口部３８’に対応した図示しない開口部が設けられており、キュービクル１１からの低圧化された電力を送電するためのケーブルを挿通可能な状態としている。キュービクル１１のトランス１６には図示しない４種類のケーブルが設けられており、各ケーブルはキュービクル１１の上面開口部３８ａ，３８ｂ，３８ｃ，３８ｄから配管２８ａ，２８ｂ，２８ｃ，２８ｄへと挿通している。
【００３５】
ここで、配管２８ａをアース用、配管２８ｂを電灯配線用、配管２８ｃを動力配線用、配管２８ｄを高圧気中開閉器４ａの操作線用として電力を使用目的の場所へと接続することができる。また、電灯配線用配管２８ｂおよび動力配線用配管２８ｃを挿通するケーブルが低圧ケーブル６となり、電柱等を経由して最終的にコンビニエンスストアや郊外小売店等へと電力が送電されて利用することができる。また、電柱等を経由せずに使用場所へ直接送電することもできる。
【００３６】
次に、図４において配管７と配管２７とが接続される状況について説明する。側面開口部５７から据付基礎９内部にかけて、配管７および２７の直径よりもわずかに大きな螺旋状の接続部４７が既設されており、接続部４７は難燃性波付硬質合成樹脂管である。接続部４７内において既設された配管２７が途切れており、螺旋状である配管７をねじ込むことにより、配管７は接続部４７と螺合しながら挿入され、位置Ｃにおいて配管７と配管２７との末端どうしを接続することができる。
【００３７】
また、一旦接続を行うと、捻りながら引く動作を行わないと抜けない構造となっており、通常の状態で配管が外れることはない。ここで、接続部４７において説明を行ったが、接続部４８ａ，４８ｂ，４８ｃ，４８ｄについても同様の作業であり、各配管８ａ，８ｂ，８ｃ，８ｄと、既設されている各配管２８ａ，２８ｂ，２８ｃ，２８ｄとを接続することができる。なお、この接続作業はねじ込むだけの作業であり、容易に迅速に行うことができる。
【００３８】
以上、本実施の形態では主に小型のキュービクルについて説明しているが、これに限定されるものではなく、通常の大きさのキュービクルにおいても本発明の据付基礎を適応することができる。
【産業上の利用可能性】
【００３９】
本発明のキュービクル式高圧受電設備用の据付基礎は、仮設電気が必要な場所や、コンビニエンスストアおよび郊外小売店等において、広く利用することができる。
【図面の簡単な説明】
【００４０】
【図１】本発明の実施の形態であるキュービクルの据付基礎上にキュービクルを設置してあることを示す概観正面図であり、キュービクルは断面を示す図である。
【図２】図１のＡの拡大図である。
【図３】本発明の実施の形態であるキュービクルの据付基礎を示す図であり、（ａ）は平面図、（ｂ）は正面図、（ｃ）は側面図である。
【図４】図３（ａ）におけるＢの拡大側面図である。
【符号の説明】
【００４１】
１  高圧引込柱
２  機器取付用腕金
３  高圧電線
４ａ  高圧気中開閉器
４ｂ  積算電力計用電圧電流変流器
５  高圧ケーブル
６  低圧ケーブル
７，８，８ａ，８ｂ，８ｃ，８ｄ  配管
９  キュービクル式高圧受電設備用据付基礎
１０  地面
１１  キュービクル式高圧受電設備
１１ａ  キュービクル式高圧受電設備架台部
１２  アンカー
１３  高圧ケーブル端末処理材
１４  ケーブル支持金物
１５  高圧過電流遮断機
１６  トランス
２７，２８ａ，２８ｂ，２８ｃ，２８ｄ  配管
３７，３８ａ，３８ｂ，３８ｃ，３８ｄ  上面開口部
３７’，３８’  開口部
４７，４８ａ，４８ｂ，４８ｃ，４８ｄ  接続部
５７，５８ａ，５８ｂ，５８ｃ，５８ｄ  側面開口部
【図１】
2006028969.tif 000003
【図２】
2006028969.tif 000004
【図３】
2006028969.tif 000005
【図４】
2006028969.tif 000006